(57)【要約】【課題】１頁に少なくともひと月分の日付が表示されたカレンダーにおいて、「今日が何日であるのか」を簡単に表示することが出来ること。【解決手段】月めくりタイプのカレンダー本体１００と、日付が順番に配列表示された、カレンダー本体の日付表示面１１０における、少なくとも前記日付に対応する日付表示領域１２０に磁力により着脱可能な第１コマ１３０と、を備え、カレンダー本体１００の日付表示面１１０の裏面には、磁力により第１コマ１３０と吸着可能な部材が付着されており、部材が付着される塗布領域２２０は、日付表示面１１０における、少なくとも日付に対応する日付表示領域１２０に対応している、ことを特徴とするカレンダーセット１である。【選択図】図１
2020131567.tif 000002
【特許請求の範囲】
【請求項１】
少なくともひと月分の日付が表示されたカレンダー本体と、
前記日付が順番に配列表示された、前記カレンダー本体の日付表示面における、少なくとも前記日付に対応する領域に磁力により着脱可能な第１着脱部材と、を備え、
前記カレンダー本体の前記日付表示面の裏面には、前記磁力により前記第１着脱部材と吸着可能な部材が付着されており、
前記部材が付着される付着領域は、前記日付表示面における、少なくとも前記日付に対応する領域に対応している、ことを特徴とするカレンダー。
【請求項２】
前記第１着脱部材は、磁石であり、
前記部材は、前記磁石が吸着可能な薄膜状部材である、ことを特徴とする請求項１記載のカレンダー。
【請求項３】
前記部材は、磁気を帯びた薄膜状部材であり、
前記第１着脱部材は、前記薄膜状部材に吸着可能な部材である、ことを特徴とする請求項１記載のカレンダー。
【請求項４】
前記カレンダー本体の前記日付表示面における、少なくとも前記日付に対応する領域に着脱可能で、上面に矢印が表示された一対の第２着脱部材を備え、
前記一対の第２着脱部材は、前記矢印の向きが直接又は間接に対向する様に配置可能である、ことを特徴とする請求項１乃至３の何れか一つに記載のカレンダー。
【発明の詳細な説明】
【技術分野】
【０００１】
本発明は、カレンダーに関する。
【背景技術】
【０００２】
従来より、日めくりカレンダーや月めくりカレンダーが公知である。
【０００３】
また、１２か月分を１頁に纏めて表示した大型のカレンダーも公知である。
【０００４】
月めくりカレンダーは、通常ひと月ごとに頁をめくる構成であり、卓上型や壁掛け型等がある。
【発明の概要】
【発明が解決しようとする課題】
【０００５】
しかしながら、月めくりカレンダーや、１２か月分を１頁に纏めた大型のカレンダーの場合、「今日が何日であるのか」は表示されていないので、カレンダーを見ても、「今日が何日であるのか」はすぐには分からないという問題がある。
【０００６】
本発明は、この様な従来のカレンダーの課題に鑑みて、１頁に少なくともひと月分の日付が表示されたカレンダーにおいて、「今日が何日であるのか」を簡単に表示することが出来るカレンダーを提供することを目的とする。
【課題を解決するための手段】
【０００７】
第１の本発明は、
少なくともひと月分の日付が表示されたカレンダー本体と、
前記日付が順番に配列表示された、前記カレンダー本体の日付表示面における、少なくとも前記日付に対応する領域に磁力により着脱可能な第１着脱部材と、を備え、
前記カレンダー本体の前記日付表示面の裏面には、前記磁力により前記第１着脱部材と吸着可能な部材が付着されており、
前記部材が付着される付着領域は、前記日付表示面における、少なくとも前記日付に対応する領域に対応している、ことを特徴とするカレンダーである。
【０００８】
また、第２の本発明は、
前記第１着脱部材は、磁石であり、
前記部材は、前記磁石が吸着可能な薄膜状部材である、ことを特徴とする上記第１の本発明のカレンダーである。
【０００９】
また、第３の本発明は、
前記部材は、磁気を帯びた薄膜状部材であり、
前記第１着脱部材は、前記薄膜状部材に吸着可能な部材である、ことを特徴とする上記第１の本発明のカレンダーである。
【００１０】
また、第４の本発明は、
前記カレンダー本体の前記日付表示面における、少なくとも前記日付に対応する領域に着脱可能で、上面に矢印が表示された一対の第２着脱部材を備え、
前記一対の第２着脱部材は、前記矢印の向きが直接又は間接に対向する様に配置可能である、ことを特徴とする上記第１乃至第３の何れか一つの本発明のカレンダーである。
【発明の効果】
【００１１】
本発明によれば、少なくともひと月分の日付が表示されたカレンダー本体において、「今日が何日であるのか」を簡単に表示することが出来るので、カレンダーを見て、「今日が何日であるのか」がすぐに分かるという効果を発揮する。
【図面の簡単な説明】
【００１２】
【図１】（ａ）：本実施の形態のカレンダーセットを正面から見た図であり、２月を表示した頁が見えている状態を示す図、（ｂ）：本実施の形態のカレンダーセットを構成するカレンダー本体のひと月分の日付が表示された頁の裏面を示す図であり、図１（ａ）に示した２月を表示した頁の裏面を示す図
【発明を実施するための形態】
【００１３】
以下に、本発明のカレンダーの実施の形態について、図面を用いて説明する。
【００１４】
図１（ａ）は、本発明のカレンダーの一実施の形態のカレンダーセット１を正面から見た図であり、２月を表示した頁が見えている状態を示す図である。
【００１５】
また、図１（ｂ）は、本実施の形態のカレンダーセット１を構成するカレンダー本体１００のひと月分の日付が表示された頁の裏面を示す図であり、ここでは、図１（ａ）に示した２月を表示した頁の裏面を示す図である。
【００１６】
本実施の形態のカレンダーセット１は、図１（ａ）、図１（ｂ）に示す様に、
【００１７】
（１）ひと月分の日付が順番に配列表示された、１月から１２月までの各頁が重ねられて上端部にて束ねられた月めくりタイプのカレンダー本体１００と、
【００１８】
（２）ひと月分の日付が横方向に順番に配列表示された、カレンダー本体１００の各頁の日付表示面１１０の内の、日付が印刷される横長の５つの日付表示領域１２０（即ち、第１日付表示領域１２１、第２日付表示領域１２２、第３日付表示領域１２３、第４日付表示領域１２４、及び第５日付表示領域１２５）の任意の位置に、自らの磁力により着脱可能な円形ボタン状の第１コマ１３０と、
【００１９】
（３）カレンダー本体１００の各頁の日付表示面１１０の内の、上記横長の５つの日付表示領域１２０の任意の位置に、自らの磁力により着脱可能な円形ボタン状の一対の第２コマ１４０、１４０と、
を備えた構成である。
【００２０】
本実施の形態のカレンダー本体１００の各頁の日付表示面１１０は、碁盤の目の様に縦横方向に境界線で区切られており、その区切られた日付表示枠１１１の内側の上部左側に日付が表示されており、上部右側は空白領域１１１ａを設けた構成である。
【００２１】
また、本実施の形態では、第１コマ１３０と、一対の第２コマ１４０、１４０は、何れも磁石であり、上記の空白領域１１１ａ内に納まる大きさに形成されているので、第１コマ１３０及び一対の第２コマ１４０、１４０を空白領域１１１ａの位置に吸着させることにより、日付が隠れて見えなくなることを防止出来る。
【００２２】
また、第１コマ１３０の表面には丸印が印刷されており、主として「今日が何日であるか」を示すために使用する円形のボタン状の磁石部材である。
【００２３】
また、一対の第２コマ１４０、１４０の表面には矢印が印刷されており、主として「予定日」を示すために使用する円形のボタン状の磁石部材である。
【００２４】
また、カレンダー本体１００の各頁の日付表示面１１０の裏面２１０には、磁石が吸着可能な鉄粉等を含む塗布材料が薄膜状に塗布又は印刷された帯状の５つの塗布領域２２０（即ち、第１塗布領域２２１、第２塗布領域２２２、第３塗布領域２２３、第４塗布領域２２４、及び第５塗布領域２２５）が形成されている。これらの５つの塗布領域２２０は、磁石が吸着可能な薄膜状部材で構成されている。
【００２５】
これらの第１塗布領域２２１、第２塗布領域２２２、第３塗布領域２２３、第４塗布領域２２４、及び第５塗布領域２２５は、カレンダー本体１００の各頁の日付表示面１１０の内の、日付が印刷される横長の第１日付表示領域１２１、第２日付表示領域１２２、第３日付表示領域１２３、第４日付表示領域１２４、及び第５日付表示領域１２５に、裏表の関係でそれぞれの位置が対応している。
【００２６】
また、カレンダー本体の素材は紙であるがこれに限定されるものではなく、磁力を通す素材であればどの様なものでもよい。
【００２７】
なお、本実施の形態では、塗布領域２２０を構成する塗布材料は、磁石が吸着可能な鉄粉等を含む塗布材料である場合について説明したが、これに限らず例えば、ニッケル、コバルト、又はフェライトなどの磁石が吸着可能な物質（例えば、強磁性体）の粉末を含む塗布材料であっても良い。
【００２８】
本実施の形態のカレンダー本体１００は、本発明のカレンダー本体の一例にあたり、本実施の形態の第１コマ１３０は、本発明の第１着脱部材の一例にあたる。また、本実施の形態の５つの塗布領域２２０を構成する部材は、本発明の磁石が吸着可能な薄膜状部材の一例にあたる。また、本実施の形態の一対の第２コマ１４０、１４０は、本発明の一対の第２着脱部材の一例にあたる。
【００２９】
上記構成において、次に、第１コマ１３０、及び一対の第２コマ１４０、１４０の使い方を、図面を参照しながら説明する、
即ち、例えば、今日が２０１９年の「２月６日」であるとした場合、ユーザは、カレンダー本体１００の２月の頁の日付表示面１１０の「６」が印刷された日付表示枠１１１の空白領域１１１ａの位置に、第１コマ１３０を吸着させる（図１（ａ）参照）。
【００３０】
なお、日付が変われば、ユーザは、その日付に対応する日付表示枠１１１の空白領域１１１ａに、第１コマ１３０を順次移動させて吸着させる。
【００３１】
日付表示枠１１１内の上部の領域（空白領域１１１ａを含む）に対応する、日付表示面１１０の裏側の領域には、上述した通り、磁石が吸着可能な薄膜状部材が帯状に塗布されている（図１（ｂ）参照）。具体的には、「６」が印刷された日付表示枠１１１内の上部の領域（空白領域１１１ａを含む）に対応する、日付表示面１１０の裏側の領域には、第２塗布領域２２２が形成されており（図１（ａ）、図１（ｂ）参照）、第１コマ１３０は、自らの磁力により、紙製の２月の頁を介して第２塗布領域２２２に対応する空白領域１１１ａに確実に吸着する。
【００３２】
これにより、月めくりカレンダーであっても、第１コマ１３０の位置を見ることによって、今日が何日であるかが、一目で分かる。
【００３３】
即ち、本実施の形態のカレンダーセット１は、月めくりカレンダーでありながら、日めくりカレンダーの機能をも備えている。
【００３４】
なお、第１コマ１３０と日付表示面１１０との間にカード状の用紙を挟み、その用紙にメモ、予定、伝言等を記載しても良い。
【００３５】
また、例えば、今日が２０１９年の「２月６日」であるとして、「１５日〜１９日」に亘って旅行の予定がある場合、ユーザは、カレンダー本体１００の２月の頁の日付表示面１１０の「１５」が印刷された日付表示枠１１１の空白領域１１１ａの位置と、「１９」が印刷された日付表示枠１１１の空白領域１１１ａの位置に、表面に矢印が表示された一対の第２コマ１４０、１４０を吸着させる（図１（ａ）参照）。
【００３６】
「１５」が印刷された日付表示枠１１１の空白領域１１１ａの位置に吸着された第２コマ１４０の矢印の向きは、「１６」が印刷された日付表示枠１１１側を向き、且つ、「１９」が印刷された日付表示枠１１１の空白領域１１１ａの位置に吸着された第２コマ１４０の矢印の向きは、「１８」が印刷された日付表示枠１１１側を向く様に配置することにより、「１５日〜１９日」に亘って旅行の予定があることが一目で分かる。
【００３７】
なお、上記実施の形態では、カレンダー本体１００が、１月から１２月までの各頁が重ねられて構成された月めくりタイプである場合について説明したが、これに限らず例えば、カレンダー本体は、二か月分等の複数か月の日付が各頁に印刷されている場合や、十二か月分、即ち一年分の日付が纏めて一頁に印刷されているタイプであっても良い。この場合でも、上記と同様の構成により、上記と同様の効果を発揮する。
【００３８】
また、上記実施の形態では、第１コマ１３０、及び一対の第２コマ１４０、１４０が磁石であり、且つ、５つの塗布領域２２０が、磁石が吸着可能な薄膜状部材が塗布又は印刷されている場合について説明したが、これに限らず例えば、５つの塗布領域２２０が磁気（又は磁性）を帯びた薄膜状部材で構成されており、且つ、第１コマ１３０、及び一対の第２コマ１４０、１４０が、ひと月分の日付が表示された頁を介して、磁気を帯びた薄膜状部材で構成された塗布領域２２０に吸着可能な鉄製の部材であっても良い。この場合、磁気を帯びた薄膜状部材で構成された塗布領域２２０は、その領域全体が磁石としての性質を有している。また、この場合、第１コマ１３０、及び一対の第２コマ１４０、１４０は、鉄製の部材に限らず例えば、ニッケル、コバルト、又はフェライト等を含み、磁石により吸着可能な部材（例えば、強磁性体の部材）であればその素材はどのようなものであっても良い。
【００３９】
また、上記実施の形態では、第１塗布領域２２１、第２塗布領域２２２、第３塗布領域２２３、第４塗布領域２２４、及び第５塗布領域２２５の５つの塗布領域２２０は、左右方向の長さが全て同じである場合について説明したが（図１（ｂ）参照）、これに限らず例えば、日付の数字が印刷されていない日付表示枠１１１には塗布領域２２０を塗布しない構成としても良い。この構成の場合を、図１（ａ）を用いて具体的に説明すると、２月の「１」の日付が印刷されている左側の５つの日付表示枠１１１と、「２８」の日付が印刷されている右側の２つの日付表示枠１１１には、日付の数字が印刷されていないので、これらの日付表示枠１１１に対応する裏面の第１塗布領域２２１と第５塗布領域２２５の左右方向の長さは、他の塗布領域の長さより短く形成される。
【００４０】
また、上記実施の形態では、第１塗布領域２２１、第２塗布領域２２２、第３塗布領域２２３、第４塗布領域２２４、及び第５塗布領域２２５の５つの塗布領域２２０は、それぞれの上下方向の幅と塗布位置が、日付表示枠１１１内の上部の領域（図１（ａ）に示した、第１日付表示領域１２１、第２日付表示領域１２２、第３日付表示領域１２３、第４日付表示領域１２４、及び第５日付表示領域１２５を参照）に対応する幅と位置に限定されている場合について説明したが、これに限らず例えば、裏面の上下方向において５つの帯状の塗布領域に分割することなく、全ての日付表示枠１１１に対応する裏面の領域を一纏めにして、一つの塗布領域を形成しても良い。
【００４１】
また、上記実施の形態では、第１塗布領域２２１、第２塗布領域２２２、第３塗布領域２２３、第４塗布領域２２４、及び第５塗布領域２２５の５つの塗布領域２２０は、それぞれの上下方向の幅と塗布位置が、日付表示枠１１１内の上部の領域（図１（ａ）に示した、第１日付表示領域１２１、第２日付表示領域１２２、第３日付表示領域１２３、第４日付表示領域１２４、及び第５日付表示領域１２５を参照）に対応する幅と位置になる様に構成されている場合について説明したが、これに限らず例えば、第１塗布領域２２１、第２塗布領域２２２、第３塗布領域２２３、第４塗布領域２２４、及び第５塗布領域２２５の５つの塗布領域２２０の上下方向の幅と塗布位置が、日付表示枠１１１内の下部の領域（図１（ａ）において、日付が印刷されていない領域）に対応する幅と位置になる様に構成されていても良い。この構成の場合、第１コマ１３０、一対の第２コマ１４０、１４０は、日付表示枠１１１内の下部の領域に吸着させることが出来るが、上部の領域には吸着させることが出来ないので、日付が隠れて見えなくなることを防止出来る。
【００４２】
また、上記実施の形態では、月めくりタイプのカレンダー本体１００の全ての頁において、第１塗布領域２２１、第２塗布領域２２２、第３塗布領域２２３、第４塗布領域２２４、及び第５塗布領域２２５の５つの塗布領域２２０の上下方向の幅と塗布位置が、日付表示枠１１１内の上部の領域に対応する幅と位置になる様に（これを第１塗布構成と称す）、又は、日付表示枠１１１内の下部の領域に対応する幅と位置になる様に（これを第２塗布構成と称す）、統一して構成されている場合について説明したが、これに限らず例えば、５つの塗布領域２２０の上下方向の幅と塗布位置が、隣接する頁ごとに、上記の第１塗布構成と、第２塗布構成とを、交互に採用しても良い。これにより、隣接する頁における５つの塗布領域２２０の位置がオーバーラップすることが抑制出来る。また、これにより、５つの塗布領域２２０が磁気を帯びた薄膜状部材で構成されている場合、隣接する頁における塗布領域２２０同士の磁力による吸着又は反発を抑制することが出来る。
【００４３】
また、上記実施の形態では、第１塗布領域２２１、第２塗布領域２２２、第３塗布領域２２３、第４塗布領域２２４、及び第５塗布領域２２５の５つの塗布領域２２０は、左右横方向に隣接する日付表示枠１１１同士の間の領域に対応する裏面の部位にも連続して塗布した場合について説明したが、これに限らず例えば、左右横方向に隣接する日付表示枠１１１同士の間の境界線を跨ぐ所定幅の領域に対応する裏面の部位には塗布しない構成としても良い。即ち、この構成では、裏面の塗布領域は、左右横方向に隣接する日付表示枠１１１毎に分離して塗布されている。これにより、第１コマ１３０、及び一対の第２コマ１４０、１４０を、日付表示枠１１１の内側に確実に吸着させることが出来るので、「今日が何日であるか」を明確に表示することが出来る。また、この構成の場合、左右横方向に隣接する日付表示枠１１１同士の間の境界線を跨ぐ所定幅の領域としては、日付表示枠１１１の上部左側の領域（日付が表示される領域）まで含めても良い。これにより、日付表示枠１１１の内側の日付が表示される上部左側の領域には、第１コマ１３０、一対の第２コマ１４０、１４０を吸着させることが出来ないので、日付が隠れて見えなくなることを確実に防止出来る。
【００４４】
また、また、上記実施の形態では、第１塗布領域２２１、第２塗布領域２２２、第３塗布領域２２３、第４塗布領域２２４、及び第５塗布領域２２５の５つの塗布領域２２０は、所定の塗布材料が薄膜状に塗布又は印刷された帯状である場合について説明したが、これに限らず例えば、これら５つの領域として、磁石が吸着可能な物質（例えば、鉄、ニッケル、コバルト、又はフェライトなどの磁石が吸着可能な強磁性体等の粉末）を含む帯状の薄膜状テープ部材が裏面に貼り付けられていても良いし、或いは、これら５つの領域として、磁気（又は磁性）を帯びた帯状の薄膜状テープ部材が裏面に貼り付けられていても良い。
【００４５】
また、上記実施の形態では、本発明の第１着脱部材の一例として、円形ボタン状の第１コマ１３０を用いた場合について説明したが、これに限らず例えば、厚みの薄いシール状部材であっても良い。この構成の場合、シール状部材は磁石であっても良いし、或いは、磁石が吸着可能な鉄製の薄板であっても良い。また、この構成の場合、薄板は鉄製に限らず例えば、ニッケル、コバルト、又はフェライトなどの磁石が吸着可能な物質（例えば、強磁性体）で構成されていても良い。
【００４６】
また、上記実施の形態では、本発明の第２着脱部材の一例として、円形ボタン状の一対の第２コマ１４０、１４０を用いた場合について説明したが、これに限らず例えば、厚みの薄いシール状部材であっても良い。この構成の場合、シール状部材は磁石であっても良いし、或いは、磁石が吸着可能な鉄製の薄板であっても良い。また、この構成の場合、薄板は鉄製に限らず例えば、ニッケル、コバルト、又はフェライトなどの磁石が吸着可能な物質（例えば、強磁性体）で構成されていても良い。
【００４７】
また、上記実施の形態では、カレンダーセット１には、第１コマ１３０と一対の第２コマ１４０、１４０との２種類のコマを備えた構成について説明したが、これに限らず例えば、カレンダーセット１には、第１コマ１３０だけが備えられている構成であっても良い。この構成の場合でも、上記と同様に、少なくともひと月分の日付が表示されたカレンダー本体において、「今日が何日であるのか」を簡単に表示することが出来るので、カレンダーを見て、「今日が何日であるのか」がすぐに分かるという効果を発揮する。
【００４８】
また、上記実施の形態では、一対の第２コマ１４０、１４０の表面に矢印が印刷されている構成について説明したが、これに限らず例えば、一対の第２コマ１４０、１４０の形状自体が矢印の形状に形成されていても良いし、或いは、一対の第２コマ１４０、１４０の本体から矢印状の突起が突き出した形状であっても良い。
【００４９】
また、上記実施の形態では、本発明の第１着脱部材の一例として、円形ボタン状の第１コマ１３０を用いた場合について説明したが、これに限らず例えば、その外形状は、三角形、四角形、五角形などの多角形でも良いし、楕円形や瓢箪型、或いは、ウサギなどの動物の顔を模式的に表した形状など、どの様な形状であっても良い。
【００５０】
また、上記実施の形態では、本発明の一対の第２着脱部材の一例として、円形ボタン状の一対の第２コマ１４０、１４０を用いた場合について説明したが、これに限らず例えば、その外形状は、三角形、四角形、五角形などの多角形でも良いし、楕円形や瓢箪型、或いは、ウサギなどの動物の顔を模式的に表した形状など、どの様な形状であっても良い。
【００５１】
また、上記実施の形態では、第１コマ１３０が一つの場合について説明したが、これに限らず例えば、第１コマ１３０を複数個備えた構成としても良い。
【００５２】
また、上記実施の形態では、本発明の一対の第２着脱部材の一例として、円形ボタン状の一対の第２コマ１４０、１４０を用いた場合について説明したが、これに限らず例えば、一対の第２コマを複数組（即ち、同じ形状のものを複数組）、又は、一対の第２コマを複数種類（即ち、形状や色の異なるものを複数種類）備えた構成としても良い。
【００５３】
また、上記実施の形態で説明したカレンダー本体１００は、壁掛け型であるか、卓上型であるかに限定されるものではなく、どの様な形態であっても良い。
【産業上の利用可能性】
【００５４】
本発明のカレンダーによれば、少なくともひと月分の日付が表示されたカレンダー本体において、「今日が何日であるのか」を簡単に表示することが出来るので、カレンダーを見て、「今日が何日であるのか」がすぐに分かるという効果を発揮し、例えば、月めくりカレンダー等に適用出来て有用である。
【符号の説明】
【００５５】
１      カレンダーセット
１００  カレンダー本体
１１０  日付表示面
１１１  日付表示枠
１１１ａ  空白領域
１２０  日付表示領域
１３０  第１コマ
１４０  第２コマ
２１０  裏面
２２０  塗布領域
【図１】
2020131567.tif 000003